(57)【要約】種々の長さの替え芯に対応するよう筆記具内の室長を自動的に調節する自動調節式受座機構が開示される。この機構は、第１の要素及び第１の要素に操作可能に係合する第２の要素を有している。替え芯に触れると、第２の要素は、第１の室長と関連した第１の位置から第２の室長と関連した第２の位置に自動的に移動する。機構は、第２の要素を第１の位置に解除自在に保持する付勢部材を有するのがよい。他の実施形態は、第３の要素及び第３の室長を有する。また、自動調節式替え芯受座機構の使用方法が開示される。
2005532930.tif 000002
【特許請求の範囲】
【請求項１】
筆記具用の自動調節式替え芯受座機構であって、
第１の長さを持つ第１のタイプの替え芯の第１の着座端部に係合するよう構成された第１の着座面を備えた第１の要素を有し、該第１の要素は、替え芯を収容する内部室を有する筆記具内に嵌まり込むように寸法形状決めされ、前記第１の要素は、長手方向軸線を有し、
第２の長さを持つ第２のタイプの替え芯の着座端部に係合するよう構成された第２の着座面を備える第２の要素を有し、該第２の要素は、前記第１の要素に対して第１の位置から第２の位置に軸方向に移動することができ、前記第２の要素は、前記第１のタイプの替え芯の前記第１の着座端部を挿通させて、前記第１の着座面に接触させることができるように構成され、
前記第１のタイプの替え芯を前記筆記具内に挿入すると、これが前記第１の着座表面に係合して、第１の替え芯室長が定められ、
前記第２のタイプの替え芯を前記筆記具内に挿入すると、これが少なくとも前記第２の着座面に係合し、前記第２の要素を前記第１の位置から前記第２の位置に自動的に移動させ、第２の替え芯室長が定められる、
替え芯受座機構。
【請求項２】
前記第１の要素はロッドであり、前記第２の要素は、前記第１の要素の少なくとも一部上を移動することができる中空スリーブである、請求項１記載の替え芯受座機構。
【請求項３】
前記第１の要素の少なくとも一部と、前記第２の要素の少なくとも一部との間に介在して設けられ、前記第２の要素を前記第２の着座面の前記第１の位置に付勢する付勢部材を更に有する、請求項１記載の替え芯受座機構。
【請求項４】
前記第２の室長が前記第１の室長よりも長い、請求項１記載の替え芯受座機構。
【請求項５】
前記第１の要素はヘッドを有し、前記替え芯受座機構は、前記ヘッドに作動的に係合するロッドを有し、前記ヘッドは、前記ロッドに対して第１の位置から第２の位置に軸方向に移動することができ、前記ヘッドが第３の長さを持ち、前記第２の長さの要素に係合するよう構成された第３のタイプの替え芯の着座端部と係合すると、前記ヘッドは、前記第１の位置から前記第２の位置に自動的に動いて第３の室長を定める、請求項１記載の替え芯受座機構。
【請求項６】
前記第２の要素の少なくとも一部と、前記ロッドの少なくとも一部との間に介在して設けられていて、前記第２の要素を前記第２の着座面の前記第２の位置に付勢する付勢部材を更に有している、請求項５記載の替え芯受座機構。
【請求項７】
前記ロッドは細長く、第１の端部、第２の端部及び前記端部のうち一方の中に少なくとも部分的に延びる軸方向開口部を備え、ステムが、前記ヘッドから突き出ており、前記ステムは、前記軸方向開口部に摺動自在に嵌まり込んでいる、請求項５記載の替え芯受座機構。
【請求項８】
前記ロッドは、前記ヘッドに向いた傾斜面を有し、前記ヘッドは、前記ロッドの傾斜面に向いたつがい関係をなす傾斜面を有し、前記ロッド及びヘッドの前記傾斜面は、前記ヘッドが前記ヘッドの前記第１の位置にあるとき、非噛み合い状態にあり、前記ロッド及びヘッドの前記傾斜面は、前記ヘッドが前記ヘッドの前記第２の位置にあるとき、噛み合い状態にある、請求項７記載の替え芯受座機構。
【請求項９】
筆記具用の自動調節式替え芯受座機構であって、
筆記具内に嵌まり込むように構成されたロッドを有し、前記ロッドは、外面、傾斜面を備えた第１の端部及び第２の端部を有し、
筆記具内に嵌まり込むよう構成された中空スリーブを有し、前記スリーブは、前記ロッドの少なくとも一部に摺動自在に係合し、前記スリーブは、内面を有し、
前記ロッドの少なくとも一部と前記スリーブの少なくとも一部との間に介在して設けられた付勢部材を有し、
前記スリーブ内に可動的に配置された受座を有し、受座は、ヘッド及びステムを有し、前記ヘッドは、前記ロッドの前記傾斜面に係合するよう協働的に構成された傾斜面を有し、
前記受座は、前記ロッドと前記受座の前記傾斜面相互の噛み合いが阻止され、それにより前記筆記具内に第１の替え芯のための第１の室長を定める第１の位置から、前記ロッドと前記受座の前記傾斜面が相互に噛み合い、それにより筆記具内に第２の替え芯のための第２の室長を定める第２の位置に自動的に動くことができる、替え芯受座機構。
【請求項１０】
前記ロッドは、前記外面から半径方向外方に延びる隆起耳を有し、前記スリーブは、前記内面から半径方向内方に延びるスプラインを有し、前記スプラインは、前記耳に摺動自在に係合するチャネルを構成している、請求項９記載の替え芯受座機構。
【請求項１１】
前記ロッドは、前記外面から半径方向外方に延びていて、前記隆起耳と長手方向に位置合わせ状態になる隆起レールを有している、請求項１０記載の替え芯受座機構。
【請求項１２】
前記受座は、半径方向外方に延びていて、前記チャネルに摺動自在に嵌まり込むよう寸法決めされた隆起タブを有している、請求項１１記載の替え芯受座機構。
【請求項１３】
前記隆起タブの少なくとも一部は、傾斜側部を有し、前記スプラインは、傾斜端部を有している、請求項１２記載の替え芯受座機構。
【請求項１４】
前記ロッドには、前記受座の前記ステムの少なくとも一部を受け入れるよう構成された開口部が設けられている、請求項９記載の替え芯受座機構。
【請求項１５】
前記付勢部材は、コイルばねである、請求項９記載の替え芯受座機構。
【請求項１６】
可変長さ替え芯室を有する筆記具であって、替え芯カートリッジを保持する長さを有する細長い内部室を備えたハウジングを有し、前記ハウジングは、互いに結合される下方部分と上方部分を有し、前記ハウジング内に設けられた自動調節式替え芯受座機構を有し、前記替え芯受座機構は、
第１の長さを持つ第１のタイプの替え芯の第１の着座端部に係合するよう構成されている第１の着座面を備えた第１の要素を有し、前記第１の要素は、替え芯を収容する内部室を有する筆記具内に嵌まり込むような寸法形状になっており、前記第１の要素は、長手方向軸線を有し、
第２の長さを持つ第２のタイプの替え芯の着座端部に係合するよう構成された第２の着座面を備える第２の要素を有し、前記第２の要素は、前記第１の要素に対し第１の位置から第２の位置に軸方向に動くことができ、前記第２の要素は、第１のタイプの替え芯の第１の着座端部を前記第１の着座面に接触させるために挿通させることができるよう構成されており、
第１のタイプの替え芯を筆記具内に挿入すると、これが前記第１の着座表面に係合することにより、第１の替え芯室長が定められ、
第２のタイプの替え芯を筆記具内に挿入すると、これが少なくとも前記第２の着座面に係合して前記第２の要素を前記第１の位置から前記第２の位置に自動的に移動させることにより、第２の替え芯室長が定められる、筆記具。
【請求項１７】
前記第１の要素の少なくとも一部と前記第２の要素の少なくとも一部との間に介在して設けられた付勢部材を更に有している、請求項１６記載の筆記具。
【請求項１８】
筆記具であって、
少なくとも２つの互いに異なる長さのうち一方を有すると共に筆記端部及びこれと反対側の着座端部を備えた替え芯カートリッジを収容する細長い室を構成する上側部分と下側部分を備えたハウジングを有し、前記細長い室は、長さを有し、
替え芯カートリッジの着座端部に選択的に係合するよう構成された第１の着座要素を有し、
替え芯カートリッジの着座端部に選択的に係合するよう構成された第２の着座要素を有し、
前記第１の要素と第２の要素は、互いに摺動自在に係合し、前記要素は両方共、前記ハウジングの前記細長い室の前記上方部分内に設けられ、前記第１及び第２の着座要素は、替え芯が筆記のための正しい位置に保持されるよう替え芯カートリッジ長さのうち一方に対応するよう前記ハウジング室の長さを自動的に調整するよう互いに対して動くことができる、筆記具。
【請求項１９】
替え芯式筆記具内に種々の長さの替え芯を用いる方法であって、
細長い内部室を備えたハウジングを有する筆記具を用意する段階を有し、ハウジング及び室は、それぞれ長さを有し、ハウジングは、互いに結合される下方部分と上方部分を有し、
室の上方部分内に設けられた自動調節式替え芯受座機構を用意する段階を有し、前記機構は、替え芯カートリッジの着座端部に選択的に係合するよう構成された第１の着座要素と、替え芯カートリッジの着座端部に選択的に係合するよう構成された第２の着座要素とを有し、前記第１及び第２の要素は、互いに摺動自在に係合し、前記要素は両方共、ハウジングの前記上方部分内に設けられ、
ハウジングの下方部分と上方部分は互いに取り外す段階を有し、
長さを有する替え芯を室内に挿入する段階を有し、
ハウジングの下方部分と上方部分を再び結合する段階を有し、
前記第１及び第２の着座要素は、ハウジング又は室の長さの手動調節を必要とすることなく、替え芯を筆記のための正しい位置に保持するよう室長を自動的に調節するよう互いに対して動くことができる、方法。
【請求項２０】
種々の長さの替え芯を収容する筆記具であって、
筆記端部及びこれと反対側の着座端部を備えた替え芯を収容する内部室が設けられたハウジングを有し、
第１のタイプの替え芯の着座端部に選択的に接触する第１の表面を備えた第１の着座要素を有し、
第２のタイプの替え芯の着座端部に選択的に接触する第２の表面を備えた第２の着座要素を有し、前記第２の着座要素は、第１の着座要素と作動的に係合し、替え芯との接触の際に第１の着座要素に対し自動的に軸方向に動くことができ、第１及び第２の着座要素は、ハウジングの内部室の端部内に設けられ、
前記第２の着座要素が前記第１の着座要素に対して動くことができることにより、種々の長さの替え芯を用いることができ、前記内部室を手動で調節しないで筆記のために前記筆記具内に正しく位置決めできる、筆記具。
【請求項２１】
筆記具用の自動調節式替え芯受座機構であって、
筆記具内に嵌まり込むよう構成されたロッドを有し、前記ロッドは、室位置決め部分及びスリーブ受け入れ部分を有し、
筆記具内に嵌まり込むよう構成されたスリーブを有し、前記スリーブは、前記ロッドの前記スリーブ受け入れ部分の少なくとも一部に摺動自在に係合し、
前記スリーブ内に設けられていて、前記ロッドの前記スリーブ受け入れ部分に係合可能な受座を有し、前記受座は、第１の位置から第２の位置に動くことができ、前記ロッド、スリーブ及び受座は、替え芯との接触により前記ロッドに対する前記受座の位置を自動的に調節するよう配置されると共に構成されている、自動調節式替え芯受座機構。
【請求項２２】
種々の長さの替え芯に対応するよう自動的に適合できる筆記具であって、
筆記端部及びこれと反対側の着座端部を備えた筆記具替え芯を収容する内部室を備えたハウジングを有し、前記ハウジングは、長さを有し、
前記ハウジングの前記長さに沿ってハウジング内に設けられた第１の着座面を有し、前記着座面は、第１の長さを持つ第１のタイプの替え芯の着座端部に係合するよう構成されており、前記第１の着座面は、第１のタイプの替え芯を前記ハウジング内に挿入すると、前記ハウジングの前記長さに沿って第１の位置に位置し、前記第１の位置は、第１の室長と関連しており、
前記ハウジングの前記長さに沿って前記ハウジング内に設けられた第２の着座面を有し、前記第２の着座面は、第１の長さとは異なる第２の長さを持つ第２のタイプの替え芯の着座端部に係合するよう構成されており、前記第２の着座面は、第２のタイプの替え芯を前記ハウジング内に挿入すると、前記ハウジングの前記長さに沿って位置していて、前記第１の位置とは異なる第２の位置に位置し、前記第２の位置は、前記第１の室長とは異なる第２の室長と関連しており、
前記筆記具は、第１又は第２のタイプの替え芯のいずれかを前記ハウジングに挿入すると、前記第１又は第２の着座面の手動調節を必要としないで正しい着座面の位置及び室長を自動的にもたらす、筆記具。
【請求項２３】
前記第１の着座面は、形状が環状であり、前記第２の着座面の上方に隆起して位置していること特徴とする請求項２２記載の筆記具。
【請求項２４】
前記着座要素は、第１のタイプの替え芯の第１の着座端部が前記第２の着座面に係合することなく前記第１の着座面に係合できるよう構成されている、請求項２２記載の筆記具。
【請求項２５】
前記第１の着座面及び前記第２の着座面は、一体構造のカップ状替え芯受座を形成している、請求項２２記載の筆記具。
【発明の詳細な説明】
【技術分野】
【０００１】
本発明は一般に、筆記具に関し、特に、種々の長さの替え芯を受け入れるよう自動調節する受座（シート）を備えた筆記具に関する。
【背景技術】
【０００２】
ペン製造業者は、直径及び長さが競合者の替え芯カートリッジとは異なる替え芯カートリッジを製造することは珍しくない。製造業者はそれぞれ典型的には、自分自身のブランドの替え芯の長さにマッチする独自の長さの替え芯カートリッジを収容する細長い内部室を備えたペンハウジングを製造している。したがって、替え芯の非筆記端部が当接する替え芯受座は、ペンハウジングに対し固定位置にあり、それにより替え芯室の長さが設定される。このやり方により、消費者が一製造業者製の替え芯を他の製造業者のペンに用いることができない場合が多い。というのは、替え芯カートリッジの筆記点（インクを送り出す）は、筆記に適した量だけペンハウジングの端部から突き出ないことになるからである。かくして、筆記点は、ペンハウジングの端部に対し突き出し具合が少な過ぎるか又は多過ぎるかのいずれかの場合がある。この状況は又、典型的には非引っ込み式設計のペンに用いられるキャップ又は他の端クロージャの正しい嵌まり具合又は引っ込み可能ペン機構の正しい動作を阻害する場合がある。
【０００３】
様々な長さの替え芯により生じる問題は又、製造業者の単一の筆記具ラインを悩ませる場合がある。かかる場合は、消費者が特定のペンに用いられているタイプの替え芯を交換しようとする場合である。例えば、ボールペン用替え芯は、同一製造業者のローラボール替え芯であってもこれらとは長さが異なる場合がある。したがって、種々のタイプの替え芯は、特定の設計のペンには容易には交換可能に使うことができない。これは、消費者、特に、典型的には使い捨てモデルよりも高い市場価格が付けられている再使用が可能な品質のペンを購入する消費者にとって歯がゆい場合がある。かくして、融通性に乏しいのでペンを購入した時点で使用できるタイプの替え芯しか使えなくなる。さらに、ペンの特定のモデルに替え芯が使えるかどうかは、特にモデルが廃盤になった場合消費者にとって問題となる場合が多い。
【０００４】
上述の問題を解決するため、従来、様々な長さの替え芯に対応するよう多くの対策が試みられたが、成功の度合いは不十分であって。例えば、米国特許第３，０３９，４３７号明細書において例示されたありふれた一方法は、消費者により替え芯の非筆記端部に手で挿入されるようになった種々の長さのプラグを備えた替え芯カートリッジを提供することであり、それにより交換用又は替え芯カートリッジの長さが機能的に変えられる。試行錯誤の目的で、消費者は、替え芯を特定のペンの替え芯室内に収納すると適正な長さを生じさせるプラグを選択しようと試みなければならない（第１の場合、適正なプラグが替え芯キットで提供されていると仮定する）。この潜在的な解決策は、消費者にとって不便であるだけでなく替え芯カートリッジのコストを増大させる。というのは、製造業者は、各替え芯キットを備えたプラグの取り揃えを製造して供給しなければならないからである。
【０００５】
替え芯自体の使用長さを変えることを目的とする別の対策は、米国特許第５，６１５，９６４号明細書に開示されているように消費者により適正な長さに手で切断しなければならないプラスチック替え芯を提供することである。しかしながら、この対策は、同様に不便であり、その結果インクの漏れが生じ、今日の金属製替え芯のうち多く、例えば、高級品としてのペンに見られる替え芯には不適である。米国特許第２，９１４，０２７号明細書に開示されている更に別の対策は、螺旋に溝が設けられたチューブを有する内部替え芯カートリッジから成り、この螺旋溝付きチューブは、替え芯の長さを変えるようチューブ上で上下する同心外側スリーブ部材を備えている。消費者が替え芯の適正な長さを決定した後、替え芯の長さは内側チューブを外側スリーブ部材に取り付けるクランプカラーによって定位置に手でロックされる。ドイツ国特許第３６３７８７５号明細書は、替え芯を掴み、軸の筆記端部に対し替え芯の位置を筆記具内で変えるよう調節可能なコレットチャック機構を利用している。この設計においても又、替え芯の筆記箇所が筆記のために正しい距離突き出るようペンハウジング内の替え芯の位置を調節するためにコレット機構を手で操作する必要がある。また、コレットチャック設計は、機械的に幾分複雑であり、製造するのに安価ではない。
【発明の開示】
【発明が解決しようとする課題】
【０００６】
要するに、従来の設計上の対策は、種々の形式の手動調節を行わなければならないことにより消費者に不便をかけていたが、消費者はかかる手動調節を別段苦にしているわけではない。したがって、設計が簡単であると共に製造が経済的であるのみならず種々の長さの替え芯を受け入れるよう替え芯室長を自動的に調節する替え芯受座が要望されている。
【課題を解決するための手段】
【０００７】
本発明は一般に、内部室を備えた筆記具用の替え芯受座に関する。特に、本発明は、種々の長さの替え芯を受け入れるよう筆記具内の室の長さを自動的に調節する替え芯受座機構に関する。したがって、消費者は、室長を変えるために筆記具又は替え芯を手で操作する必要は無い。室長は、筆記具内に挿入された替え芯の長さに基づいて適正な長さに自動調節する。大まかに述べると、消費者は、筆記具ハウジングの係合を解き、選択した替え芯を挿入し、そして筆記具ハウジングを再び結合する。すると、替え芯は、筆記具内に筆記のためのその適正な位置を自動的に取り（即ち、インクを筆記表面に送り出す替え芯の筆記端部が、正確な量だけ筆記具の前方端部を越えて突き出される）、今やいつでも使用できる状態にある。
【０００８】
自動調節式替え芯受座機構は、着座面を備えた第１の要素及び着座面を備えた第２の要素を有している。着座面は、単独で又は組合せ状態で、替え芯がハウジング室内に遠くまで入り込んで替え芯の筆記端部が筆記のために筆記具の前部を越えて突き出ないようになるのを阻止するストップを形成する。第２の要素は、第１の要素に対し位置が動くことができ、これと作動的に摺動自在に係合する。第２の要素は、第１の要素に対し連続した一連の位置で動くことができる。一実施形態では、第２の要素は、第１の要素に対し第１の位置から第２の位置に動くことができる。第２の要素の運動により、第２の要素の第１の位置及び第２の位置と関連した種々の室長が得られる。第１の要素と第２の要素は両方共、筆記具内に嵌まり込むよう構成されている。したがって、第１及び第２の要素の寸法は、これらが用いられる筆記具のサイズに基づいて定められるが、ハウジング内に収容されるべき種々のサイズの替え芯に適合できる。
【０００９】
種々のサイズ及び種々の形状の着座端部（筆記端部と反対側の替え芯の端部）を備えた種々の長さの替え芯カートリッジを、筆記具内に挿入されると、替え芯が筆記のための適正な位置にあるように本発明に用いることができる。かくして、提供されるタイプの替え芯カートリッジ及びその着座端部の設計（即ち、寸法形状）は、本発明の替え芯受座機構を備えた筆記具内に挿入されたとき、第１の要素及び（又は）第２の要素が替え芯カートリッジと係合状態になるかどうかを決定する。したがって、好ましくは、第１及び第２の要素の着座面は、使用できる種々の替え芯カートリッジの長さ及び着座端部のタイプと協働的に寸法決めされると共に形作られる。例えば、第１のタイプの替え芯カートリッジは、第２の要素に係合することなく第１の要素に係合することができる。別の例では、第２のタイプの替え芯カートリッジは、第１の要素に係合することなく第２の要素に係合することができる。そして、別の例では、第３のタイプの替え芯カートリッジが、第１の要素と第２の要素の両方に係合することができる。上述の例では、第２の要素は、筆記のための適正な位置で用いられる特定の替え芯カートリッジを心出しするために筆記具内に正しい室長を提供するよう第１の要素に対し自動的に動かされ又は動かされないようにする（設計上の選択事項として）のがよいことは明らかである。かくして、種々の長さの替え芯は、本発明の原理に従って構成された替え芯受座機構を備える同一の筆記具に使用できる。第２の要素を替え芯に係合しない場合、第１の位置に解除自在に保持するよう第１の要素と第２の要素との間に付勢部材を設けるのがよいが、付勢部材は、必ずしも必要ではない。
【００１０】
一実施形態では、第１の要素は、ロッドであり、第２の要素は、ロッド上を摺動できるスリーブであるのがよい。付勢部材は、第１の要素と第２の要素を互いに押し離すが第１の要素と第２の要素を互いに近づけることができるのに適したコイルばねであるのがよい。
【００１１】
別の実施形態によれば、第１の要素に対し第１の位置から第２の位置に動くことができる別個の替え芯受座を設けるのがよい。替え芯受座は、第１の要素と軸方向摺動自在に係合するのがよい。一実施形態では、第１の位置から第２の位置への受座の運動により、種々の室長が得られ、或る実施形態では、かかる室長は、２種類の室長であるのがよい。別の実施形態では、受座の運動により、３つの互いに異なる室長が得られる。替え芯受座は、ヘッド及びこれに取り付けられたステムを有するのがよい。別の実施形態では、替え芯受座及び第１の要素は、受座の第１の位置と第２の位置を生じさせるよう互いにつがい関係にある傾斜面を有する。しかしながら傾斜面は、必ずしも必要ではなく、受座の第１の位置及び第２の位置は、種々の実施形態では他の方法で達成できる。
【００１２】
また、自動調節式替え芯受座機構を備えた筆記具内に種々の長さの替え芯を用いる方法が開示される。筆記具は、替え芯を心出しするために細長い内部室を構成する上方部分に結合された下方部分で構成されるハウジングを有している。替え芯受座機構を用いるため、先ず最初に、下方ハウジング部分と上方ハウジング部分を互いに取り外し、替え芯を内部室内へ挿入する。次に、上方ハウジング部分と下方ハウジング部分を再結合し、次いで、替え芯受座機構は、室の長さに手動調整を全く必要とすることなく、選択した替え芯の長さにマッチしてこれに正しく適合するよう室長を自動調節する。
【００１３】
本発明の特徴及び利点は、本発明の以下の詳細な説明からいっそう容易に明らかになろう。なお、かかる詳細な説明において、同一の要素は同一の符号が付けられている。
【発明を実施するための最良の形態】
【００１４】
本発明の原理に従って形成された替え芯受座機構２の一実施形態を有する筆記具１が図１に示されている。筆記具１は、下方部分４及び上方部分５を備えた実質的に中空のハウジング３を有している。下方部分４は、一方の末端部が替え芯カートリッジ６を突出させることができる孔３０で終端した全体として円錐形の端部１１及び円錐形端部１１と反対側に位置した接合端部４０を有している。上方部分５は、一方の末端部のところの接合端部４２及び接合端部４２と反対側に位置していて、端クロージャ１２で終端したクロージャ端部４４を有している。端クロージャ４２は、クロージャ端部４４に取り付けられ又はこの中に挿入される別個の部品であってよく、又は端クロージャ１２は、クロージャ端部４４の一部として形成されていてもよい。図示の実施形態では、下方部分４と上方部分５は、下方及び上方部分４，５のそれぞれの接合端部４０，４２のところに設けられたねじ連結部により互いに回転自在に結合されている。下方部分４と上方部分５を任意他の適当な手段、例えば摺動自在な摩擦嵌め等により結合してもよいことは理解されよう。
【００１５】
実質的に中空のハウジング３の細長い内部室１３内に収納される替え芯カートリッジ６が、筆記端部７及び着座端部８を有している。筆記端部７と反対側に位置した端プラグ１０も又設けるのがよい（これについては、例えば図９〜図１１も参照のこと）。端プラグ１０は、肩３５を更に備えるのがよく、この肩は、着座端部８に当接するプラグ１０の一部として形成されたものであるのがよく、図示のように環状面を構成する。替え芯６の筆記端部７は、ペン先９を有し、インクがこのペン先から筆記面に送り出され、ペン先はハウジング３の下方部分４の円錐形端部１１の孔３０を貫通した状態で筆記位置で示されている。「インク」という用語は、筆記又はマーク付けのために使用できる任意の粘度の液体物質（即ち、非固形又は非ガス状媒体）を意味するものと広義に解釈されるべきである。筆記具１が使用されていないとき、ポケットクリップを備える場合の多い筆記具キャップ（図示せず）がペン先９を覆うよう設けられるのがよい。変形例として、筆記端部７は、ペン先９をハウジング３の下方部分４の円錐形端部１１内へ引っ込めることができるよう引っ込み可能であってもよい。
【００１６】
図１に示す筆記具１は、非引っ込み可能なタイプのものであるが（即ち、替え芯６が、ハウジングに対して位置が固定されたままであって、筆記端部７が常時ハウジング孔３０から突き出るようになっている）、替え芯受座機構２も又、引っ込み可能なタイプの替え芯機構を採用した筆記具に容易に使用できることは注目されるべきである。これは、替え芯受座機構２及びその作用についての詳細な説明を行った後、後で詳細に説明する。  ハウジング３の細長い内部室１３は、替え芯カートリッジ及びこの場合室１３の上端部の一部を占める替え芯受座機構２を収容するよう構成されている。図１〜図１２の実施形態の替え芯受座機構２は、スリーブ１４とロッド１５と付勢部材１６と受座２４（図２〜図７に最もよく示されている）で構成され、これらは、筆記具ハウジング３から独立した別個のユニットとして互いに操作可能に結合できる。使用中、ロッド１５は、ハウジング３に対し比較的静止したままであり、これに対し、ロッド１５に摺動自在に係合したスリーブ１４は、所定の限度内でロッド１５に対しハウジング３内で軸方向に動く。したがって、ロッド１５を当該技術分野において一般に知られている任意の手段により室１３内に解除自在に又は永続的に固定でき、かかる手段としては、例えば、圧力嵌め、圧着、接着剤、ねじ込み式継手、締結具、ロック可能な相互連結及び嵌合部材、協働するよう形作られた溝内に摺動自在なタブ等が挙げられるが、これらには限定されない。また、ロッド１５をこれがハウジング３の端クロージャ１２、キャップ無し引っ込み可能なタイプの筆記具用の引っ込み機構（これについては以下に詳細に説明する）又はロッド１５が当接するようハウジング３内に設けられた介在内部構造部材（例えば、ラグ、環状棚部等）に当接するようハウジング３の上方部分５内に自由に挿入できることは注目されるべきである。替え芯受座機構２の個々の部品及びその作用については以下に詳細に説明する。
【００１７】
図８を参照すると、組み立て前のスリーブ１４、ロッド１５及び受座２４の相対位置に示すために替え芯受座機構２（付勢部材１６は示されていない）の分解等角図が示されている。図示のように、又、図２〜図７を参照すると、等しい数のロッドレール１９、受座隆起タブ２７及びスリーブスプライン２８が好ましくは設けられ、これら部材は、スリーブ１４、ロッド１５及び受座２４を組み立てると、互いに空間関係をなして操作的に相互作用できるよう円周方向に間隔を置いて設けられている。次に、スリーブ１４、ロッド１５及び受座２４の細部及び相互作用並びに替え芯受座機構２の組み立て及び動作原理について詳細に説明する。
【００１８】
先ず最初に図２及び図３を参照すると、ロッド１５は好ましくは形状は円筒形である。ただし、適当な断面、例えば六角形、正方形等の他の形状も使用できる。ロッド１５の長さの少なくとも一部は、一端部にスリーブ１４に操作的に摺動自在に係合するスリーブ受け入れ部分１８を有するよう構成されている。したがって、スリーブ受け入れ部分１８の断面形状は、スリーブ１４の断面形状と協働的に形作られたものであるのがよい（図３と図７比較参照）。ロッド１５の他端部のところに断面が円形の状態で示された室位置決め部分１７が、ロッド１５を筆記具ハウジング３及び細長い内部室１３内で所定の長手方向位置及び同心同軸位置合わせ状態に維持するのを助けている。
【００１９】
室位置決め部分１７は、スリーブ受け入れ部分１８とは異なる断面形状のものであるのがよいことは注目されるべきである。室位置決め部分１７はスリーブ１４に摺動自在に係合しないので、その断面形状は、上述したようにスリーブ受け入れ部分１８の場合と同様スリーブ１４の形状には限定されない。室位置決め部分１７の断面形状は、筆記具ハウジング１３の上方部分５の断面形状に基づいて選択されたものであるのがよいが、必ずしもそうである必要はない。したがって、例えば、スリーブ受け入れ部分１８は、断面が丸くてもよく、これに対し室位置決め部分１７は、正方形、三角形又は六角形であってもよい。この融通性は、筆記具ハウジングがファッション性が高く且つ珍しい形状の断面を有することが多い場合、設計者又は装飾的筆記具製造ラインにおいて特に有利である。
【００２０】
室位置決め部分１７及びスリーブ受け入れ部分１８を一材料片から形成してもよく或いは２以上の別々の部品から形成して当該技術分野において知られている任意の手段によって互いに連結してもよい。好ましくは、室位置決め部分１７の外径５７は、スリーブ受け入れ部分１８の外径５８よりも大きく、したがって付勢部材１６の一端部８０が当接できる表面を形成する棚部５９が形成されるようになる（例えば図９及び図１０参照）。室位置決め部分１７及びスリーブ受け入れ部分１８のそれぞれの外径５７，５８は、同一であってもよく、付勢部材１６の端部８０を保持する代替手段を設けてもよいことは注目されるべきである。スリーブ受け入れ部分１８は、付勢部材１６を同心状に案内してこれを替え芯受座機構２上の定位置に心出しする手段としても役立つ。
【００２１】
開口部２１が、自由端部３７からロッド１５内へ少なくとも途中まで延びていて、好ましくはこの中に同心状に位置合わせされる。変形例として、開口部２１は、図示のようにロッド１５を完全に貫通してもよい。開口部２１は、受座２４のステム２５の少なくとも一部を受け入れるように構成されている（図４、図５に最もよく示されている）。したがって、開口部２１は少なくとも、ステム２５をロッド１５及び受座２４と共に以下に詳細に説明する「噛み合い」状態で受け入れるのに充分長いものでなければならない。好ましくは、開口部２１は、受座２４のステム２５と同様断面が円形であり、これらの両方については説明を続けると明らかになろう。
【００２２】
スリーブ受け入れ部分１８は、自由端部３７からスリーブ受け入れ部分１８の長さの少なくとも一部に沿って軸方向に延びる隆起レール１９を有するのがよい。レール１９は、ロッド１５の長手方向軸線５０に平行に延びている。隆起レール１９の少なくとも一部は、スリーブ１４及びロッド１５が互いに対して回転するのを阻止するようスリーブ１４のチャネル３３（図６及び図７）内に摺動自在に受け入れられた状態でこれと円周方向に位置合わせされる。かくして、隆起レール１９の高さは、チャネル３３との係合を可能にするよう選択されている。図２及び図３に示す実施形態では、４つのレールが設けられている。しかしながら、これとは別の数のレールも又適しており、正確な数は、設計上の選択事項である。レール１９は、隆起耳２０が設けられていれば替え芯受座機構２の適正な動作を行う上では不要である。かかる隆起耳の機能については直ぐ後で詳細に説明する。したがって、替え芯受座機構２の機能に悪影響を及ぼすことなくレール１９を完全に省くことができる。
【００２３】
隆起耳２０は、スリーブ受け入れ部分１８の自由端部３７の近くに設けられていて、幾つかの目的を果たすことができる。耳２０は好ましくは、形状が実質的に矩形又は正方形であるが、他の適当な形態も使用できる。好ましくは、耳２０は、後方及び前方縁部５２，５３が図示のようにロッド１５の長手方向軸線５０に垂直であるように差し向けられる。隆起耳２０の少なくとも一部は、スリーブ１４がロッド１５に対し回転するのを阻止するようスリーブ１４のチャネル３３（図６）内に摺動自在に受け入れられた状態でこれと円周方向に位置合わせされる。かくして、隆起耳２０の高さは、チャネル３３との係合を可能にするよう選択されている。したがって隆起耳２０の果たすことができる一目的は、スリーブ受け入れ部分１８を長手方向に案内してこれをスリーブ１４内に軸方向に位置合わせし、それによりロッド１５とスリーブ１４の相対回転を最小限に抑えることにある。  いまや、隆起レール１９を上述したように必ずしもスリーブ受け入れ部分１８のために設ける必要は無いことは明らかである。というのは隆起耳２０は、スリーブ１４をロッド１５に対して回転するのを阻止する同じ基本的な目的を果たすことができるからである。しかしながら、隆起レール１９を隆起耳２０と関連して用いる場合、耳２０は好ましくは、レール１９と重なりあって耳２０とレール１９が互いに軸方向に位置合わせされるようにする。したがって、耳２０の高さは好ましくは、これが設けられた場合レール１９の高さよりも大きい。好ましくは、設けられる隆起耳２０の数は、レール１９の数に等しい。図２及び図３に示す実施形態では、４つの隆起耳２０及び４つの隆起レール１９が設けられている。
【００２４】
隆起耳２０の実行できるもう１つの機能は、ロッド１５を当初スリーブ１４内に挿入した後、ロッド１５がスリーブ１４から完全に抜き出されるのを阻止するのを助けることにある。これは、先ず最初に隆起耳２０の前方縁部５３がスリーブ１４に入った状態でロッド１５をスリーブ１４内に挿入した後、耳２０の後方縁部５２とスリーブ１４のチャネル３３内に設けられたスリーブラグ３２の係合（図６及び図７に最もよく示されている）によって達成される。スリーブ１４内へのロッド１５の挿入を容易にするため、隆起耳２０の前方縁部５３を面取りして（図示せず）隆起耳２０がスリーブラグ３０上に容易に乗ることができるようにするのがよい。本発明のこれら特徴を以下に詳細に説明する。
【００２５】
スリーブ受け入れ部分１８の自由端部３７は、一連の山部５４及び谷部５６を構成する歯状付属物によって形成される複数の傾斜面２２を有している。山部５４の頂部及び谷部５６の底部は、図２に示すように尖った交差部を有してもよく、或いは僅かに丸くなっていてもよい。傾斜部２３が、長手方向軸線５０に対し任意適当な角度θで交差するのがよい傾斜面２２の山部５４と谷部５６を互いに接合し、角度θの選択は、設計上の選択事項である。
【００２６】
角度θも又、或る程度は図２に示す所望の係合深さ“Ｄ”によって決定される。係合深さ“Ｄ”は、角度θと反比例する。したがって、角度θは、所望の深さ“Ｄ”が次第に大きくなると、次第に小さくなる。加うるに、角度θも又、或る程度は設けられた歯状付属物の数に応じて様々であってよいことは明らかであろう。例えば、所与の係合深さ“Ｄ”の場合に設けられた歯状付属物の数が増大すると、角度θは小さくなる。
【００２７】
傾斜面２２を形成する歯状付属物の数は、筆記具１に用いられる替え芯の長さの差によって異なる場合のあることは注目されるべきである。以下に詳細に説明するように、所要係合深さ“Ｄ”は、替え芯受座機構２が筆記具１内で互いに異なる長さの替え芯に対応するよう動かなければならない距離にほぼ等しい。したがって、係合深さ“Ｄ”は、或る程度、或る特定の設計条件下で最適である歯状付属物の数を定めることができる。
【００２８】
ロッド１５は好ましくは、プラスチックで作られるが、変形例として、金属又は以下の説明で明らかになる所要の機能をもたらすことができる任意他の適当な材料であってもよい。
【００２９】
次に図４及び図５を参照すると、受座２４は、ヘッド２６及び円筒形ステム２５で構成されている。好ましくは、ステム２５は、形状が円筒形であり、ロッド１５の開口部２１の直径６１と協働的に寸法決めされた直径５１を有し、したがって受座２４は、ステム２５をロッド１５の開口部２１に挿入したとき、ロッド１５に対して回転したり摺動することができるようになっている。ステム２５は又、受座２４とロッド１５を同心状に位置合わせした状態に保つのを助ける。
【００３０】
ヘッド２６は好ましくは、実質的に平らな円板であって、隆起タブ２７を有しており、かかる隆起タブの機能については以下に説明する。タブ２７の少なくとも一部は、タブ２７をチャネル３３内に配置したとき、受座２４がスリーブ１４に対して回転するのを阻止するようスリーブ１４がチャネル３３（図６）内に摺動自在に受け入れられてこれと軸方向に位置合わせされるような寸法形状になっている。タブ２７をチャネル３３内に配置しない場合、受座２４は、スリーブ１４に対して自由に回転することができ、その機能については以下に詳細に説明する。タブ２７は、ヘッド２６のステム端部に向かって収斂する傾斜側部３６を更に有するのがよい。傾斜側部３６は、図示のように小さな実質的に平らな交差部又は尖った又は僅かに丸くなった（図示せず）態様で合体するのがよく、いずれにするかは設計上の選択事項である。
【００３１】
ヘッド２６のステム側は、図示のようにロッド１５の山部５４及び谷部５６に相当する一連の山部６０及び谷部６２を画定する傾斜面２９を更に有している。傾斜部３４が、山部６０と谷部６２を互いに連結している。傾斜面２９は、ロッド１５のスリーブ受け入れ部分１８の傾斜部２２と合致するように構成されており、したがって傾斜面２２，２９は互いに噛み合うことができるようになっている。かくして、山部６０と谷部６２は好ましくは、受座２４の長手方向軸線６４に対して角度θをなして互いに交差し、この角度は、これに対応してロッド１５の傾斜面２２の角度θにマッチするよう選択されている。
【００３２】
受座２４は好ましくは、プラスチックで作られるが、変形例として、金属又は以下の説明で明らかになる所要の機能をもたらすことができる任意他の適当な材料であってもよい。
【００３３】
図６及び図７は、形状が実質的に中空筒体である替え芯受座機構２のスリーブ１４を示している。スリーブ１４の内面９２から隆起し、好ましくはスリーブ１４の一部として形成されるスプライン２８を設けるのがよい。スプライン２８は、以下に詳細に説明するように受座２４の隆起タブ２７の傾斜側部３６と相互作用するようになった傾斜端部３１を有している。スプライン２８は、スリーブ１４の内面９２に設けられた隣り合うスプライン相互間にチャネル３３を備えている。好ましくは、スプライン２８の数は、ロッド１５に設けられた隆起耳２０の数に等しい。図６及び図７に示す実施形態では、スリーブ１４は、４つのスプラインを有している。
【００３４】
隆起ラグ３２は、スリーブ１４の内面９２から隆起しており、好ましくは、スプライン２８の傾斜端部３１と反対側でチャネル３３の端部のところ又はその近くに配置されている。隆起ラグ３２は、長さが比較的ほんの短いものであることが必要である。というのは、これら隆起ラグは、ロッド１５をスリーブ１４内に挿入した後、ロッド１５がスリーブ１４から抜き出されるのを阻止するようロッド１５の隆起耳２０に係合するようになっているからである。好ましくは、ラグ３２は、スリーブ１４の一部として形成されるが、ラグ３２は、スリーブ１４の内面９２に取り付けられる別個の付属物であってもよい。
【００３５】
スリーブ１４の内径７０は、スリーブ受け入れ部分１８の外径５８及びロッド１５の隆起耳２０の高さ５５（図２）と協働的に寸法決めされていて、スリーブ受け入れ部分１８がスリーブ１４の内部に滑り込むことができるようになっている。さらに、外径７２と内径７０の差によってスリーブ１４のロッド受け入れ端部７６に形成された環状面７４（図６及び図７）が、付勢部材１６の端部８２を当接させることができる表面を形成する（例えば、図９及び図１０参照）。
【００３６】
スリーブ１４は好ましくは、好ましくは、プラスチックで作られるが、変形例として、金属又は以下の説明で明らかになる所要の機能をもたらすことができる任意他の適当な材料であってもよい。
【００３７】
先ず最初に本発明の特徴及び作用を説明するに当たり分かりやすくするため、図９〜図１４は、替え芯受座機構２が見えるようにするため筆記具１のハウジング３の上方部分５を部分断面で示していることに注目されるべきである。スリーブ１４は、ロッド１５と替え芯受座２４の相互作用を明確に示すよう縦断面で示されている。スリーブ１４のスプライン２８及びラグ３２の傾斜端部３１（図６及び図７参照）は、これらが一般にロッド１５及び替え芯受座２４の種々の付属物に対するスリーブ１４のスプライン２８及びラグ３２の相対的関係（図示の実施形態における）を良好に示すよう基準目的で位置する想像線でのみ示されている。
【００３８】
一般に、種々の長さの替え芯に対応するため、替え芯受座機構２は、筆記具１内の内部室１３の長さを効果的に変化させ、それにより筆記のための内部室内の替え芯の適正な着座を保証する種々の受座位置に自動調節する。図１に示すように、室１３の室長さ９０は、替え芯により占められるハウジング３内の内部空間を定める。先ず最初に図９に示す第１の受座位置を参照すると、組み立て状態の替え芯受座機構２は、挿入された替え芯カートリッジ６に係合した状態で筆記具１内に示されている。さらに図２〜図７を参照すると、図示の実施形態では、付勢部材１６をロッド１５のスリーブ受け入れ部分１８上に配置することにより先ず最初に替え芯受座機構２を組み立てるのがよい。好ましくは、付勢部材１６は、図示のようなコイルばねであるが、任意他の適当な形式の付勢部材を使用できる。次に、ロッド１５のスリーブ受け入れ部分１８をスリーブ１４のロッド受け入れ端部７６（図６及び図７）内に押し込んでロッド１５とスリーブ１４が互いに摺動自在に係合するようにする。ロッド１５の隆起耳２０（及びもし設けられていれば隆起レール１９）は、スリーブ１４のチャネル３３の境界部内で軸方向に自由に動くことができる。しかしながら、ロッド１５とスリーブ１４の相対回転運動は、ロッド１５の隆起レール１９及び隆起耳２０とスリーブ１４のスプライン２８との相互作用により阻止される。ロッド１５のスリーブ受け入れ部分１８をいったんスリーブ１４内に挿入すると、ラグ３２は、スリーブ１４を押し戻すと、ロッド１５の隆起耳２０に係合することによりロッド１５がスリーブ１４から完全に抜き出されるのを阻止するのを助けるよう設計されている。次に、替え芯受座機構２を筆記具１内に配置することができる。
【００３９】
ロッド１５をスリーブ１４内に挿入した後、次に受座２４を通常はステムを先にしてスリーブ１４の替え芯受け入れ端部７８（図６参照）内に挿入する。変形例として、受座２４をロッド１５の挿入前にスリーブ１４内に挿入してもよい。
【００４０】
変形例として、ロッド１５を内部室１３内に位置決めすることにより替え芯受座機構を先ず最初に筆記具１内で組み立ててもよい。好ましくは、付勢部材１６を筆記具１内への挿入前にロッド１５に嵌める。次に、スリーブ１４をロッド１５上に押し、次に上述したように受座２４をスリーブ１４内に挿入するのがよい。
【００４１】
引き続き図９を参照すると、付勢部材１６は、スリーブ１４をロッド１５に対して「スリーブ前方」位置と呼ばれる位置に維持するよう軸方向力を及ぼす。この位置では、スリーブ１４は、ロッド１５の室位置決め部分１７から最大距離のところに位置し、隆起耳２０の後縁部５２は、スリーブ１４のラグ３２に当接する。付勢部材１６を、付勢部材１６により生じる軸方向力がスリーブ１４を図９に示すような「スリーブ前方」位置に保持するのに十分大きいが、一タイプの替え芯６（“Ｒ２”で指示され、図１０に示されている）を筆記具１内に挿入したとき、スリーブ１４が図１０に示すような「スリーブ後方」位置までロッド１５に向かって後方へ容易に滑るのを阻止するほど大きくはないようように適正なばね定数（ｋ）を備えるよう選択されるべきであり、これについては以下に詳細に説明する。好ましくは、小から中程度のばね力をもたらす軽量ばねが設けられ、かかるばね力の選択は、当業者の通常の知識の範囲内にある。付勢部材１６の内径８６は好ましくは且つ名目的に、付勢部材１６を室位置決め部分１７とスリーブ１４との間の定位置に保持できるよう選択され、室位置決め部分１７とスリーブ１４の両方は好ましくは、図示のようにロッド１５のスリーブ受け入れ部分１８よりも直径が大きい。しかしながら、当業者には容易に分かるように付勢部材１６をその所望の位置に保持する他の適当な手段及び構造が可能であることは注目されるべきである。
【００４２】
引き続き図２〜図７及び図９を参照すると、受座２４は、スリーブ１４と摺動自在に係合する。ロッド１５が上述したスリーブ１４に係合する仕方と概念的に類似して、受座２４のヘッド２６に設けられている隆起タブ２７は、スリーブ１４のチャネル３３の境界部内で軸方向に自由に動くことができる。受座２４とスリーブ１４の相対回転運動は、受座２４の隆起タブ２７とスリーブ１４のスプライン２８の相互作用により阻止される。かくして、受座２４のタブ２７とロッド１５の隆起耳２０の両方は、スリーブ１４のチャネル３３内で互いにいっせいに軸方向に動くことができる。
【００４３】
図９に示すように、好ましくは隆起耳２０及びレール１９に対するロッド１５の傾斜面２２の向きは、タブ２７に対する受座２４の傾斜面２９の向きと協働的に定められて、耳２０及びタブ２７がスリーブ１４のチャネル３３内に留まる限り、両方の傾斜面２２，２９が互いに噛み合うことは無いようになっている。これは、傾斜面２２，２９の「非噛み合い」状態と呼ばれるべきであり、第１の室長１１０に相当する受座２４の第１の位置を定める。図示のように、この場合に選択される替え芯６のタイプは、着座端部８及び端プラグ１０（図１）のそれぞれの外径１０８，１０４が両方共、スリーブ１４（図６）の内径７０よりも小さいようなものである。これを便宜上“Ｒ１”タイプの替え芯と呼ぶ。かくして、“Ｒ１”タイプ替え芯６を筆記具１の室１３内に挿入し、筆記具ハウジング３の下方部分４と上方部分５を互いに結合すると、端プラグ１０は、スリーブ１４ではなく受座２４に当接し、付勢部材１６は圧縮されない（即ち、スリーブ１４は、「スリーブ前方」位置のままである）。したがって、受座２４のヘッド２６及びロッド１５の隆起耳２０は、スリーブ１４のチャネル３３内に位置したままである。“非噛み合い状態”によって得られる室長１１０は、図示のような“Ｒ１”タイプ替え芯６を筆記具１内に挿入すると、替え芯６の線端部９が筆記のための適当な量だけハウジング３の下方部分４の孔３０を越えて突き出ることができるように選択されると共に設計されている。
【００４４】
図１０は、筆記具１内に設けられていて受座２４を異なる筆記位置に配置する別のタイプの替え芯カートリッジ６と係合する組立て状態の替え芯受座機構２を示している。この場合に用いられるタイプの替え芯６は好ましくは、少なくともスリーブ１４の内径７０よりも大きな外径１０８の着座端部８を有している。端プラグ１０の外径１０４は、スリーブ１４の内径７０よりも小さい。これを便宜上“Ｒ２”タイプの替え芯と呼ぶ。したがって、“Ｒ２”タイプ替え芯の端プラグ１０は、スリーブ１４の内部に嵌まる。しかしながら、着座端部８は、スリーブ１４の内部に嵌まることはないであろう。というのは、着座端部８の外径１０８は、スリーブ１４の内径７０よりも大きいからである。かくして、“Ｒ２”タイプ替え芯６を筆記具１内に挿入し、ハウジング３の下方部分４と上方部分５を互いに結合すると、着座端部８はスリーブ１４に係合する。したがって、スリーブ１４をロッド１５の室位置決め部分１７に向かって押し戻し、それにより付勢部材１６を圧縮する。というのは、ロッド１５は、筆記具ハウジング３に対してその定位置に静止したままであるからである。これを「スリーブ後方」位置と呼ぶ。
【００４５】
スリーブ１４は、“Ｒ２”タイプ替え芯を用いた場合、付勢部材１６が部分的にしか圧縮されないように図１０では「スリーブ後方」位置で示されているが、本発明は、この点に関し明示的には制約されない。したがって、替え芯受座機構２をスリーブ１４が「スリーブ後方」位置にあるとき、付勢部材１６が完全に圧縮されるように設計されたものであってもよく、このように設計するかどうかは選択の問題である。
【００４６】
スリーブ１４を替え芯“Ｒ２”によって押し戻してロッド１５に当てると、受座ヘッド２６は、チャネル３３から軸方向に出てスリーブスプライン２８の傾斜端部３１を越えて動く。受座２４のステム２５は、ロッド１５の開口部２１に嵌まったままであり、この中で自由に回転することができる。傾斜端部３１を越えて動くと、受座ヘッド２６は今や、スリーブ１４内で且つこれに対して自由に回転運動することができる。ロッド１５の傾斜面２２（チャネル３３の物理的境界部内に位置している間、これまで受座２４の傾斜面２９とは「非噛み合い」状態にある）は、スリーブ１４が押し戻されて傾斜面２２がもはやチャネル３３内に閉じ込められないようになると、スリーブスプライン２８の傾斜端部３１を越えて同様に動く。いまや、ロッド１５及び受座２４のそれぞれの傾斜面２２，２９は、スリーブスプライン２８の傾斜端部３１を越えて共に動くと、自由に噛み合うことができる。傾斜面２２，２９は、チャネル３３内に閉じ込められている間、互いに噛み合うことができない。というのは、傾斜面２２，２９は好ましくは、チャネル３３内に閉じ込められている間、互いに噛み合い位置合わせ状態には差し向けられないからである。ロッド１５の傾斜面２２は受座ヘッド２６が回転して傾斜面２２，２９を位置合わせ且つ噛み合い状態に動かすことができるようにするためには少なくともスリーブスプライン２８を十分に越えて遠くまで動く必要なだけであることは理解されよう。
【００４７】
引き続き図１０を参照すると、替え芯端プラグ１０の長さは、筆記具１の下方部分４と上方部分５を互いに結合した状態で受座ヘッド２６に対する圧力を維持するよう選択されると共に寸法決めされている。替え芯６により及ぼされる圧力並びにロッド１５及び受座１４のそれぞれの傾斜面２２，２９の非整列状態の向き（以下に詳細に説明する）により、受座２４は、回転してロッド１５内へ落ち込む。ロッド１５及び受座２４のそれぞれの傾斜面２２，２９は今や、傾斜面２２，２９の「噛み合い」状態と呼ばれる状態に噛み合わせ状態になる。図示のように、引き続き図１０を参照すると、これにより、第１の室長１１０よりも長い第２の室長に対応する受座２４の第２の位置が得られる。したがって、第２の室長１１２により、第１の室長１１０に用いる長さよりも長い長さの替え芯カートリッジ６を用いることができる（これについては図９及び図１０を参照して比較されたい）。図９を参照すると、室長は、第１の室長１１０から図１０に示す第２の室長１１２に移る際に図示のように係合深さ“Ｄ”（図２及び図４も参照）に等しい量だけ変化する。
【００４８】
上述の説明から注目されるべきこととして、ロッド１５は、その傾斜面２２がスプライン２８によって形成されたスリーブ室３３から出ると、スリーブ１４に対して回転運動するのが阻止される。これは、少なくとも２つの方法で達成できる。一実施形態では、ロッド１５の隆起耳２０の長さ（図２）は、耳２０がスリーブスプライン２８及びチャネル３３から完全には出ず（即ち、耳２０の一部がスリーブチャネル３３内に位置したままであり）、それによりロッド１５の回転運動を阻止するように寸法決めされているのがよい。変形例として、隆起レール１９がロッド１５に設けられている場合（図２）、レール１９は、スリーブチャネル３３の境界部内に位置したままであり、これまたロッド１５の回転運動を阻止する。変形例として、隆起レール１９及び耳２０を用いるこれら回転阻止要素の組合せも又使用できる。
【００４９】
ロッド１５及び受座２４のそれぞれの傾斜面２２，２９は、ロッド１５及び受座２４の山部５４，６０がスリーブ１４のチャネル３３内の「非噛み合い」状態にあるとき（図９参照）互いに実質的に整列する（山部と山部）協働的に差し向けられるのがよい。山部と山部の接触（これは、山部５４，６０が上述したようにスリーブ１４のチャネル３３内に位置している間維持される）の固有の非安定性は、タイプ“Ｒ２”替え芯を筆記具１内に挿入したときに端プラグ１０が受座２４に接触していったん山部５４，６０（図２及び図４参照）がチャネル３３から出ると、維持できない。かくして受座２４は、スリーブ１４に対して回転し、傾斜面２２，２９が互いに噛み合うことになる。
【００５０】
好ましくは、傾斜面２２，２９は、僅かに山部から外れた構造が「非噛み合い」状態で作られる（即ち、ロッド１５の山部５４が受座２４の少なくとも１対の傾斜部３４に接触し、受座２４の山部６０がロッド１５の少なくとも１対の傾斜部２３に接触するよう作られる）ように差し向けられる。この構成は、ヘッド２６の隆起タブ２７がいったんスリーブ１４のチャネル３３を通過すると、上述したように自動的に旋回運動を受座２４に与え、それにより受座２４が回転して傾斜面２２，２９が互いに噛み合うようにするのを助ける。しかしながら、上述した傾斜面２２，２９のいずれの構成及び向きであっても適当であることは注目されるべきである。
【００５１】
受座ヘッド２６と孔３０（図１）相互間に定められた室長９０の増減量は、ロッド１５及び受座２４のそれぞれの傾斜面２２，２９（山部５４，６０と谷部５６，６２との間で測定して）について選択された係合深さ“Ｄ”（図２及び図３の“Ｄ”を参照）によって定められ、これに等しいということが言える。上述したように、図９及び図１０に示す実施形態の室長９０は、ロッド１５及び受座２４のそれぞれの傾斜面２２，２９が「非噛み合い」（図９）状態から「噛み合い」（図１０）状態に移る際に“Ｄ”に等しい量だけ変化する。したがって、深さ“Ｄ”も又、替え芯タイプ“Ｒ１”，“Ｒ２”相互間の長さの差を表し、これは、筆記具業界においては典型的には、約１／１６インチ（１．５９ミリ）〜３／８インチ（９．５３ミリ）であるが、これには限定されない。
【００５２】
この時点において注目されるべき要点として、ロッド１５及び受座２４が図１０に示すような「噛み合い」状態にあるとき（スリーブ１４が「スリーブ後方」位置にある）、受座ヘッド２６（図４）の隆起タブ２７が好ましくは、スリーブスプライン２８（図６）の傾斜端部３１上に実質的に軸方向位置合わせ状態にあるよう設計されている。スリーブ１４を図９に示す「スリーブ前方」位置に戻すと、タブ３７の傾斜側部３６がスリーブスプライン２８の傾斜端部３１と係合して旋回運動を受座２４に与えて受座２４をロッド１５と「非噛み合い」状態に動かす。
【００５３】
ユーザが替え芯６（現時点においては、スリーブ１４が「スリーブ後方」位置にある先の例を引き続き参照し“Ｒ２”タイプ替え芯６）を交換したいとき、筆記具ハウジング３の下方部分４と上方部分５を互いに取り外す。この動作により、これまで圧縮されていた付勢部材１６がその完全非圧縮長さに戻ることができ、それに伴ってスリーブ１４を「スリーブ後方」位置から「スリーブ前方」位置に動かす。これが起こると、ロッド１５の隆起耳２０及びレール１９は、スリーブ１４のチャネル３３内に落ち込んで戻る。筆記具は今や、いつでも別の替え芯タイプ“Ｒ２”又は“Ｒ１”タイプの替え芯を受け入れる状態になっている。
【００５４】
筆記具の下方部分４と上方部分５を互いに取り外す前に短い長さの“Ｒ１”タイプ替え芯を今や挿入すると、替え芯着座端部８及び端プラグ１０は、受座２４をスリーブ１４のチャネル３３に向かって押し戻す。これにより、スリーブスプライン２８の傾斜端部３１は、上述したように受座ヘッド２６の隆起タブ２７の傾斜側部３６に作動可能に係合する。これにより、旋回動作が受座２４に与えられ、それにより隆起タブ２７をチャネル３３に位置合わせし、それにより受座２４がチャネル３３内へ落ち込んで戻ることができる。ロッド１５及び受座２４のそれぞれの傾斜面２２，２９は今や、受座２４が第１の位置にある状態でこれらの初期「非噛み合い」状態に戻っている。
【００５５】
これとは異なり、長い長さの“Ｒ２”タイプ替え芯を筆記具１内に挿入して戻すと、ロッド１５及び受座２４のそれぞれの傾斜面２２，２９は、受座２４が第２の位置に到達した状態で上述したのと同一の仕方でこれらの「噛み合い」状態を取る。
【００５６】
本発明の原理を利用して形成された替え芯受座機構の別の実施形態が図１１及び図１２に示されており、この実施形態では、３つの互いに異なる室長が互いに異なる長さの替え芯の３つの別々のタイプを受け入れるよう提供されている。替え芯タイプ“Ｒ１”，“Ｒ２”を用いる上述の図９及び図１０に示す実施形態は、それぞれ第１及び第２の室長１１０，１１２をもたらす。第３の室長１１４は、以下の図１１及び図１２と関連して説明する原理によって定められる。
【００５７】
図１１に示すように、“Ｒ３”タイプ替え芯の一実施形態は、肩３５（図９及び図１０にそれぞれ示す替え芯タイプ“Ｒ１”又は“Ｒ２”の場合のような肩）を欠く実質的に平らな端プラグ１０を有している。したがって、端プラグ１０の外径１０４は、図示のように替え芯着座端部８の外径１０８に実質的に等しい。端プラグ１０の外径１０８は、スリーブ１４の内径７０（図６）よりも大きいように寸法決めされている。かくして、図示のようにスリーブ１４の替え芯受け入れ端部７８に入り又は受座２４に係合できる端プラグ１０の部分は無い。
【００５８】
変形例として、替え芯タイプ“Ｒ３”を筆記具１の室３３の内部に同心状に位置合わせした状態に保つのを助けるため、端プラグ１０は、図１２に示すように肩３５を備えるのがよい。この実施形態では、端プラグ１０は、スリーブ１４の内径７０よりも小さな外径１０４を有するよう設計されており、これにより、端プラグ１０をスリーブ１４内に受け入れることができる。肩３５の外径１０８は、スリーブ１４の内径７０よりも大きい。端プラグ１０の長さ１０６は、同心状態での安定性が得られるようスリーブ１４の替え芯受け入れ端部７８に入ってこれと作動的に係合するのに十分長いが、付勢部材１６が図示のようにロッド１５の棚部５９に当接してスリーブ１４によって完全に圧縮される前に替え芯受座機構２の受座２４に接触して作動的に係合することがないほど短いように寸法決めされている。したがって、スリーブ１４の軸方向運動は、付勢部材１６の完全圧縮によって制限されるが、端プラグ１０と替え芯受座２４の接触及び係合によっては制限されない。
【００５９】
筆記具１が“Ｒ３”タイプ替え芯に対応するようになっている場合、替え芯機構２は、“Ｒ２”タイプ替え芯を用いる場合、上述すると共に図１０に示すように、付勢部材１６が完全には圧縮されないよう設計されている。これにより、以下に説明するように第３の室長１１４を形成するのに十分な隙間が筆記具ハウジング３内に残される。
【００６０】
図１１及び図１２を参照すると、“Ｒ３”タイプ替え芯を筆記具１内に挿入し、ハウジング３の下方部分４及び上方部分５を互いに結合すると、替え芯端プラグ１０は、係合して押し戻してスリーブ１４がロッド１５の室位置決め部分１７に向かって摺動するようにする。一実施形態では、スリーブ１４は、引き続き後方に摺動して付勢部材１６をロッド１５の棚部５９に完全に押し付け、それにより、スリーブ１４の軸方向移動を制限するバックストップとして働く。これは、スリーブ１４の「スリーブ後方最大」位置と呼び、この場合、スリーブ１４は、スリーブ１４が上述した「スリーブ後方」位置にある場合よりもロッド１５の室位置決め部分１７に向かっていっそう遠くまで押し戻される。かくして、“Ｒ３”タイプ替え芯と関連した第３の室長１１４が得られ、この室長１１４は、図９及び図１０にそれぞれ示すような“Ｒ１”又は“Ｒ２”タイプの替え芯を用いた結果として室長１１０又は１１２のいずれとも異なっている。一実施形態では、替え芯タイプ“Ｒ３”は、替え芯タイプ“Ｒ１”又は“Ｒ２”よりも長いのがよい。
【００６１】
別の実施形態では、第３の替え芯室長１１４は可変であってもよく、室長１１０又は１１２のいずれとも異なるのがよいことは注目されるべきである。好ましくは、これは、一方の極端な状態での付勢部材１６を完全に圧縮した（上述したように）長さと他方の極端な状態の長さ、即ち、付勢部材１６を或る程度圧縮するが、付勢部材１６がこれまた付勢部材１６を或る程度圧縮する（上述したように）“Ｒ２”タイプ替え芯に必要なレベルよりもほんの僅かに大きく圧縮されている長さとの間で“Ｒ３”タイプ替え芯の長さを作ることにより達成できる。したがって、上述した極端な状態相互間（これらを含む）の第３の室長１１４の連続した範囲が可能である。好ましくは、（ｉ）替え芯箇所９が筆記面に押し付けられると、替え芯箇所９が筆記のための正しい位置で筆記具のハウジング孔３０を越えて実質的に遠くまで伸長した状態に保つのに十分強力であり、他方（ｉｉ）替え芯を最初に筆記具１内に挿入し、下方ハウジング部分４と上方ハウジング部分５を互いに結合すると、スリーブ１４を“Ｒ３”タイプ替え芯により適正な量押し戻すことができるよう過度には強力ではないばね定数（ｋ）を有するよう設計されている。正しいばね定数（ｋ）の決定は、それほど実験を行わなくても当業者の通常の知識の範囲内にあり、本明細書では説明しない。
【００６２】
図１１及び図１２に示す実施形態は、例えば“Ｒ１”タイプのインク替え芯、“Ｒ２”タイプのローラボール替え芯及び任意他のタイプの“Ｒ３”替え芯（例えば、ゲルインク、フェルトチップ、パーソナルデジタルアシスタント（“ＰＤＡ”）非インクスタイラス又はその他）が使用可能であり、単一の筆記具１内で消費者の決定で交換できることが望ましい利用可能性を有している。替え芯タイプ“Ｒ１”、“Ｒ２”及び“Ｒ３”は、上述したように互いに異なる長さを有する。
【００６３】
別の実施形態では、図１３は、本発明の原理に従って形成された替え芯受座機構を有する筆記具１の一部を示しているが、受座２４は完全に省かれている。図１３に示すように、上述した他の実施形態と同様、替え芯受座機構２は、ロッド１５及びロッド１５と作動的に係合するスリーブ１４を有している。しかしながら、ロッド１５の自由端部３７は必ずしも、傾斜面２２（図２に示す）を有する必要は無く、自由端部３７が、替え芯に作動的に係合する着座面１２０を備えている。好ましくは、図示のように自由端部３７は実質的に平らであるが、別の端部形態も適している。第１の室長を達成するため、“Ｒ４”タイプ替え芯（図示している）が用いられ、その端プラグ１０及び着座端部８は、着座面１２０に作動的に係合するが、スリーブ１４には係合しないよう寸法決めされている。替え芯タイプ“Ｒ４”は、替え芯“Ｒ４”を筆記具ハウジング２内に挿入すると、着座面１２０に作動的に係合してこれに接触し、その後下方ハウジング部分４と上方ハウジング部分５を互いに結合する。スリーブ１４は、「スリーブ前方」位置のままである。
【００６４】
図１４は、図１３と同一であるが、“Ｒ５”タイプ替え芯（上述した）に用いられる替え芯機構を示しており、この替え芯機構は、着座面１２０には係合しないでスリーブ１４に係合するよう構成されている。替え芯タイプ“Ｒ５”は、替え芯タイプ“Ｒ５”（図示している）の端部から突き出た端プラグ１０又は突出していない平らな端プラグ１０（図１１に示す）を備えるのがよい。突出した形式の端プラグ１０が図１４に示すように用いられる場合、一実施形態では、端プラグ１０の長さ１０６は、スリーブ１４が付勢部材１６をロッド１５の棚部５９（図示している）に完全に押し付けると係合着座面１２０との接触を回避し又は付勢部材１６が図１１及び図１２を参照して本明細書において上述したようにスリーブ１４の可変位置の連続範囲内で或る程度圧縮されるに過ぎない場合、接触を回避するのに十分短く寸法決めされたものであるのがよい。別の実施形態では、端プラグ１０の長さ１０６は、スリーブ１４が付勢部材１６をロッド１５の棚部５９に完全に押し付けた場合に係合着座面１２０と接触するよう寸法決めされたものであるのがよい。
引き続き図１４を参照すると、第２の室長は、“Ｒ５”タイプ替え芯を筆記具ハウジング２内に挿入し、下方ハウジング部分４と上方ハウジング部分５を互いに結合することにより達成される。図示の実施形態では、スリーブ１４は、付勢部材１６がロッド１５の棚部５９に完全に押し付けられてスリーブ１４を上述した「スリーブ後方最大」位置に持っていくものでロッド１５に向かって軸方向に押し戻される。したがって、第２の室長は、替え芯タイプ“Ｒ４”よりも短い替え芯タイプ“Ｒ５”を受け入れるよう定められる。
【００６５】
図１３及び図１４に示す替え芯受座機構の実施形態では、ロッド１５の開口部２１（例えば図２、図９、図１０等を参照）を省いてもよいことは理解されよう。本明細書において上述した他の実施形態とは異なり、開口部２１は、必ずしも必要ではない。というのは、受座２４は、図１３及び図１４に示す実施形態から省かれているからである。図１３及び図１４に示すように、スリーブ１４のスプライン２８は、必ずしも傾斜端部３１を必要とはしない。
【００６６】
自動調節式替え芯受座機構の別の実施形態が、図１５及び図１６に示されている。この替え芯受座機構は、第１の着座面１２２及び第２の着座面１２４を備えた着座要素１２０を有する。第１の着座面１２２は、図１５に示すように“Ｒ６”タイプ替え芯を用いることにより定められた第１の室長１２６と関連している。第１の着座面１２４は、図１６に示すように“Ｒ７”タイプ替え芯を用いることにより定められた第２の室長１２８と関連している。図１５及び図１６に示す実施形態では、“Ｒ６”タイプ替え芯の着座端部８は、タイプ“Ｒ７”の着座端部８よりも大きな外径１０８を有している。加うるに、“Ｒ６”タイプ替え芯の端プラグ１０の外径１０４は好ましくは、着座要素１２０の内径１３０よりも大きい。これにより、“Ｒ６”タイプ替え芯の端プラグ１０が図１５に示すように第２の着座面１２４に必ずしも係合しないで第１の着座面１２２に係合することができ、それにより第１の室長１２６をもたらす。これとは対照的に、“Ｒ７”タイプ替え芯の端プラグ１０の外径１０４は好ましくは、着座要素１２０の内径１３０よりも小さい。これにより、“Ｒ７”タイプ替え芯の端プラグは、図１６に示すように第１の着座面１２２に係合しないで第２の着座面１２４に係合することができ、それにより第２の室長１２８をもたらす。一般的に、“Ｒ６”タイプ替え芯は、これよりも長く且つ幅の狭い“Ｒ７”タイプ替え芯よりも直径１０８が短く且つ広いものであるのがよいことは理解されよう。
【００６７】
図１５及び図１６に示す着座要素１２０は、筆記具ハウジング３の上方部分５の内部に（例えば、接着剤、ねじによる締結、摩擦嵌め又は収縮嵌め等により）取り付けられ又は固定される別個の部品であってもよく、或いは着座要素１２０は、ハウジング３（図示せず）の上方部分５の一体部分であってもよいことは注目されるべきである。加うるに、着座要素１２０はそれ自体、当該技術分野において代表的な任意の従来方法を用いて互いに組み付けられる別個の第１の着座面１２２と第２の着座面１２４で構成されたものであるのがよい。図１５及び図１６に示すような着座要素１２０は好ましくは図示のような２つの着座面を有しているが、筆記具に利用できる種々の替え芯の寸法形状に応じて、３以上の別々の室長を定める３以上の着座面を設けてもよいことは理解されよう。
【００６８】
本発明の自動調節式替え芯受座機構を引っ込めることができない形式の筆記具実施形態により上記において説明したが、替え芯受座機構をキャップレス引っ込み可能形式の器具用途にも使用することができ、かかる用途は、当業者には明らかであろう。したがって、替え芯受座機構２は、従来型のばね押し押しボタン式替え芯引っ込み機構、回しノブ又は軸ねじり回転替え芯引っ込み機構又は任意他の適当な替え芯引っ込み手段を備えた引っ込み可能形式の筆記具に具体化できる。引っ込み可能な形式の筆記具に用いる場合、替え芯受座機構２全体の相対位置は、替え芯を筆記のために筆記具ハウジングから伸長させ又は替え芯を貯蔵のために引っ込めるよう筆記具ハウジングに対し単にシフトされる。かくして、本明細書において説明した引っ込めることができない形式の筆記具の場合と同様、選択された替え芯のタイプ（即ち、替え芯タイプ“Ｒ１”、“Ｒ２”、“Ｒ３”、“Ｒ４”、“Ｒ５”、“Ｒ６”、“Ｒ７”）の正しい室長は依然として、筆記具ハウジングの結合を解き、選択した替え芯を挿入し、ハウジングを再び結合すると、本発明の原理に従って依然として自動的に定められる。
【００６９】
ばね押し押しボタン式替え芯引っ込み機構の場合、引っ込み機構に用いられるばねは、別の目的に役立ち、本発明の替え芯受座機構（例えば図１参照）の付勢部材１６とは別体であることは注目されるべきである。さらに、引っ込みばねは代表的には、図１に示すように上方ハウジング５内ではなく替え芯カートリッジ筆記端部７の近くで筆記具ハウジング３の下方部分４内に配置される（引っ込みばねは、図１では示されていない）。
【００７０】
自動調節式替え芯機構を任意種類の材料（例えば、プラスチック、金属、これらの組合せ等）で作られたハウジングを有する筆記具に用いることができ、本発明はこの点に関し、その用途には限定されない。
【００７１】
また、当業者であれば、本明細書に説明した替え芯受座機構の細部は、設計上の選択事項であり、本発明は、本明細書に記載した特定の実施形態には限定されないことも又理解されよう。したがって、特許請求の範囲に記載された本発明の精神及び範囲から逸脱することなく、替え芯受座機構の多くの改造例及び変形例を想到できる。
【００７２】
上記説明及び図面は、本発明の好ましい実施形態を記載しているが、特許請求の範囲に記載された本発明の精神及び範囲から逸脱することなくその種々の追加例、改造例及び置換例を想到できることは理解されよう。特に、当業者には明らかなように、本発明をその精神又は本質的な特徴から逸脱することなく、他の特定の形態、構造、配列、比率で及び他の要素、材料及び部品を備えた状態で実施できる。当業者であれば、本発明は、本発明の原理から逸脱することなく、特定の環境及び使用上の要件に適合した本発明の実施に用いられる構造、配列、比率、材料及び部品等について多くの改造を施して利用できることは理解されよう。したがって、本願において開示した実施形態は、あらゆる点で例示であって本発明を制限するものではなく、本発明の範囲は、特許請求の範囲の記載に基づいて定められ、上記説明には限定されない。
【図面の簡単な説明】
【００７３】
【図１】替え芯及び替え芯受座機構が非断面側面図で示された本発明の原理による替え芯受座機構の一実施形態を有する筆記具の部分断面図である。
【図２】本発明の原理による替え芯受座機構のロッドの側面図である。
【図３】図２のロッドの３−３線矢視端面図である。
【図４】本発明の原理による替え芯受座機構の替え芯受座の側面図である。
【図５】図４の替え芯受座の５−５線矢視端面図である。
【図６】本発明の原理による替え芯受座機構のスリーブの側面図である。
【図７】図６のスリーブの７−７線矢視端面図である。
【図８】位置合わせされ、非組み立て状態で示す図２〜図７のロッド、替え芯受座及びスリーブの分解等角図である。
【図９】替え芯受座及びロッドが互いに非噛み合い関係にあり、スリーブがスリーブ前方位置にある替え芯受座機構を備えた筆記具の上方部分の一部の部分断面拡大図である。
【図１０】替え芯受座及びロッドが互いに噛み合い関係にあり、スリーブがスリーブ後方位置にある替え芯受座機構を備えた筆記具の上方部分の一部の部分断面拡大図である。
【図１１】替え芯受座及びロッドが互いに非噛み合い関係にあり、スリーブがスリーブ後方位置にある替え芯受座機構を備えた筆記具の上方部分の一部の部分断面拡大図である。
【図１２】替え芯受座及びロッドが互いに非噛み合い関係にあり、スリーブがスリーブ後方位置にある替え芯受座機構を備えた筆記具の上方部分の一部の部分断面拡大図である。
【図１３】ロッドが平らな端部を備え、スリーブがスリーブ前方位置にある替え芯受座機構を備えた筆記具の上方部分の一部の部分断面拡大図である。
【図１４】ロッドが平らな端部を有し、スリーブがスリーブ後方位置にある替え芯受座機構を備えた筆記具の上方部分の一部の部分断面拡大図である。
【図１５】着座要素を備え、一タイプの替え芯を備えた状態で示す本発明の原理による替え芯受座機構を備えた筆記具の上方部分の一部の部分断面拡大図である。
【図１６】図１５の替え芯受座機構を備えているが、別のタイプの替え芯を備えた状態で示す筆記具の上方部分の一部の部分断面拡大図である。
【図１】
2005532930.tif 000003
【図２】
2005532930.tif 000004
【図３】
2005532930.tif 000005
【図４】
2005532930.tif 000006
【図５】
2005532930.tif 000007
【図６】
2005532930.tif 000008
【図７】
2005532930.tif 000009
【図８】
2005532930.tif 000010
【図９】
2005532930.tif 000011
【図１０】
2005532930.tif 000012
【図１１】
2005532930.tif 000013
【図１２】
2005532930.tif 000014
【図１３】
2005532930.tif 000015
【図１４】
2005532930.tif 000016
【図１５】
2005532930.tif 000017
【図１６】
2005532930.tif 000018
【国際調査報告】
2005532930.tif 000019